(57)【特許請求の範囲】
【請求項１】
ベッド構成体を壁面に保持するためその壁面に装着される取着部と該壁面装着後の取着部を介して壁面に保持されるベッド構成体とからなるものであること、および、取着部にはベッド構成体を係止保持するための係止部が設けられているものであること、および、ベッド構成体がベッド部とそのベッド部の後側端部に枢着された被取着腕部とを備えており、被取着腕部には取着部の係止部と係止自在に対応する被係止部が設けられているとともにベッド部の後側端部と被取着腕部との間には該被取着腕部をベッド部に対して平伏重装状態となるように付勢するための付勢手段が連装されているものであること、および、壁面装着後の取着部の係止部にベッド構成体の被係止部を係止することにより取着部とベッド構成体とが相対的な係止構成のものになるとともに、付勢手段で壁面に添うところのベッド部の不使用起立状態と、壁面の前方へ回動降下して壁面と直交状配置になるところのベッド部の使用横臥状態とが当該相対的な係止構成において保持できるものであることを特徴とする収納式幼児用ベッド。
【請求項２】
取着部が押当縦板を有するものであること、および、この押当縦板に押当される被押当縦板をベッド構成体の被取着腕部が有するものであること、および、取着部の押当縦板には係嵌間隙を介在して上向に突出した係止舌片が係止部として設けられていること、および、この係止舌片と係止自在な被係止部を有する係止用口がベッド構成体における被取着腕部の被押当縦板に開設されていること、および、係止舌片と係止用口とを嵌め合い係止させて被押当縦板を押当縦板に押当させることにより取着部とベッド構成体とが相対的な係止構成のものになることを特徴とする請求項１記載の収納式幼児用ベッド。
【請求項３】
取着部における押当縦板の幅方向両側にはベッド部側へ向けて立ち上がる縦向立上縁部が立設されているとともにこれら縦向立上縁部から押当縦板の幅方向両側外方へ向けて固定用舌片がそれぞれ延設されていること、および、ベッド構成体における被取着腕部の被押当縦板には、そこに固定用板を押当させるための抜け止め用欠設部が形成されていること、および、係止舌片と係止用口とを嵌め合い係止させて被押当縦板を押当縦板に押当させているところの取着部とベッド構成体との相対的な係止構成において、被押当縦板の抜け止め用欠設部に押当させた固定用板が押当縦板の両固定用舌片に跨装連着されていることを特徴とする請求項２記載の収納式幼児用ベッド。
【請求項４】
ベッド部の後側端部に固設された受承体と、この受承体に摺動自在に押当される摺動子と、この摺動子が摺動自在に嵌め込まれたものであってベッド構成体の被取着腕部に設けられている案内筒と、この案内筒の上位止部と摺動子との間に収納された弾性体とで付勢手段が構成されていること、および、ベッド部が壁面に添うところの不使用起立状態では弾性体の弾圧を受けている摺動子が案内筒の下端口から突出して受承体に押当するものであるとともにベッド部が壁面の前方へ回動降下して壁面と直交状配置になるところの使用横臥状態では受承体で押圧された摺動子によって弾性体が圧縮状態になるものであることを特徴とする請求項１記載の収納式幼児用ベッド。
【発明の詳細な説明】
【０００１】
【発明の属する技術分野】
本発明は公共施設等の洗面所などにあって、その壁面に起立状態で設置されたベッド部を、必要に応じ前倒しにして横臥状態とした後、当該ベッド部上にあって乳幼児のおむつ交換等の用に供する収納式幼児用ベッドに関する。
【０００２】
【従来の技術】
収納式幼児用ベッドとしては、既に各種のものが開示されているが、これらは図７に例示（実用新案登録第２５８２３９３号公報）の如く、壁面Ｗに取着したベース部ａと、その下端部ｂにヒンジｃを介して上下方向へ回動自在なるよう枢支したベッド部ｄとを具備していると共に、当該ベッド部ｄの後側端部と、上記ベース部ａに固設の枢支ブラケットｅとの間に、ガススプリングｆなどによる付勢手段を夫々の枢支部ｇ、ｈによって連枢するよう構成されている。
そして、上記ガススプリングｆは、ベッド部ｄが実線で示した使用横臥状態Ｘから、仮想線で示す不使用起立状態Ｙ方向に付勢するよう設けられ、かくしてベッド部ｄは当該不使用起立状態Ｙで保持されており、これを矢印Ｒ方向へ引き下すことで緩除に回動降下し、ベッド部ｄがベース部ａの図示されていないストッパに衝当することで、当該ベッド部ｄが前記の使用横臥状態で停止することになる。
さらにおむつの交換などが終われば、ベッド部ｄを矢印Ｒの反対方向へ回動上昇させるようにすることで、この際ガススプリングｆにより軽い力で当該ベッド部ｄを不使用起立状態に復動させ得ると共に、この状態が保持されることとなる。
【０００３】
【発明が解決しようとする課題】
従来の収納式幼児用ベッドによるときは、上記のように構成され、そのベッド部ｄとベース部ａとはヒンジｃで枢支され、かつ当該両者ｄ、ａはガススプリングｆによって連枢されていることから、これを壁面Ｗにボルト、ナット、締着螺子などによって取着する際には、可成りの重量を有する当該収納式幼児用ベッドを持ち上げ状態にして保持し、しかもベッド部とヒンジ部ｃとはガススプリングｆの付勢力に抗して、引き離しの状態に保持しておかねばならない。
このため、上記の取り付け工事に難渋することとなり、多大の労力を費やさねばならないだけでなく、工事に可成りの時間を要し、またその取り外し工事を行う場合にも、これまた可成りの労力と時間をかけねばならない。
【０００４】
本発明は上記従来の難点に鑑み検討されたもので請求項１によるときは、壁面に対して軽量小型な取着部だけを取着するだけで事が足り、一方ベッド部とこれに枢着した被取着腕部と、当該両部間に連枢した任意の付勢手段とによってベッド構成体を形成しておき、前記取着部に設けられた係止部に、被取着腕部に設けられている被係止部を係止するだけの操作によって、ベッド構成体の取着部への装着を完了可能とし、収納式幼児用ベッドを極めて迅速にしてかつ容易な労力だけで当該施工工事を行い得るようにするのが、その目的である。
【０００５】
そして請求項２の場合には、請求項１の係止部を取着部の押当縦板から上向きに離間突設した係止舌片により形成すると共に、請求項１の被係止部はベッド構成体の被取着腕部における被押当縦板に係止用口を開設し、当該係止用口に係止舌片を嵌入して係止することにより、上記の被押当縦板と押当縦板とを押当させるように構成することで、収納式幼児用ベッドを、より迅速確実に取り付け得るようにしようとしている。
【０００６】
次に請求項３においては、上記請求項２における係止部と被係止部との係止によりベッド構成体を簡易迅速に取り付け可能にするだけでなく、前記した押当縦板の両側に設けた固定用舌片間に固定用板を跨装連着し、この固定用板を被取着腕部に形成した抜け止め用欠設部に押当することで、取着部に対するベッド構成体の係止状態の固定化手段を付加することで、ベッド構成体の不本意な左右動や上下動さらには脱落をも阻止し、これによりその安定と安全性を向上させようとしている。
【０００７】
さらに請求項４によるときは、請求項１のベッド構成体におけるベッド部と被取着腕部との間に設けられた付勢手段について、単なるスプリングによる場合の耐久性とか安定な作動性の確保についての改善を図り、またガススプリングが効果となる欠陥を解消するために、被取着腕部に設けた案内筒に内装の弾性体により、摺動子が案内筒から突出自在とし、この摺動子がベッド部の後側端部に設けた受承体に押当するよう構成したものを用いるようにしている。
【０００８】
【課題を解決するための手段】
本発明の請求項１に係る収納式幼児用ベッドは、所期の目的を達成するために下記の課題解決手段を特徴とする。すなわち請求項１記載の収納式幼児用ベッドは、ベッド構成体を壁面に保持するためその壁面に装着される取着部と該壁面装着後の取着部を介して壁面に保持されるベッド構成体とからなるものであること、および、取着部にはベッド構成体を係止保持するための係止部が設けられているものであること、および、ベッド構成体がベッド部とそのベッド部の後側端部に枢着された被取着腕部とを備えており、被取着腕部には取着部の係止部と係止自在に対応する被係止部が設けられているとともにベッド部の後側端部と被取着腕部との間には該被取着腕部をベッド部に対して平伏重装状態となるように付勢するための付勢手段が連装されているものであること、および、壁面装着後の取着部の係止部にベッド構成体の被係止部を係止することにより取着部とベッド構成体とが相対的な係止構成のものになるとともに、付勢手段で壁面に添うところのベッド部の不使用起立状態と、壁面の前方へ回動降下して壁面と直交状配置になるところのベッド部の使用横臥状態とが当該相対的な係止構成において保持できるものであることを特徴とする。
【０００９】
本発明の請求項２に係る収納式幼児用ベッドは、請求項１記載のものにおいて、取着部が押当縦板を有するものであること、および、この押当縦板に押当される被押当縦板をベッド構成体の被取着腕部が有するものであること、および、取着部の押当縦板には係嵌間隙を介在して上向に突出した係止舌片が係止部として設けられていること、および、この係止舌片と係止自在な被係止部を有する係止用口がベッド構成体における被取着腕部の被押当縦板に開設されていること、および、係止舌片と係止用口とを嵌め合い係止させて被押当縦板を押当縦板に押当させることにより取着部とベッド構成体とが相対的な係止構成のものになることを特徴とする。
【００１０】
本発明の請求項３に係る収納式幼児用ベッドは、請求項２記載のものにおいて、取着部における押当縦板の幅方向両側にはベッド部側へ向けて立ち上がる縦向立上縁部が立設されているとともにこれら縦向立上縁部から押当縦板の幅方向両側外方へ向けて固定用舌片がそれぞれ延設されていること、および、ベッド構成体における被取着腕部の被押当縦板には、そこに固定用板を押当させるための抜け止め用欠設部が形成されていること、および、係止舌片と係止用口とを嵌め合い係止させて被押当縦板を押当縦板に押当させているところの取着部とベッド構成体との相対的な係止構成において、被押当縦板の抜け止め用欠設部に押当させた固定用板が押当縦板の両固定用舌片に跨装連着されていることを特徴とする。
【００１１】
本発明の請求項４に係る収納式幼児用ベッドは、請求項１記載のものにおいて、ベッド部の後側端部に固設された受承体と、この受承体に摺動自在に押当される摺動子と、この摺動子が摺動自在に嵌め込まれたものであってベッド構成体の被取着腕部に設けられている案内筒と、この案内筒の上位止部と摺動子との間に収納された弾性体とで付勢手段が構成されていること、および、ベッド部が壁面に添うところの不使用起立状態では弾性体の弾圧を受けている摺動子が案内筒の下端口から突出して受承体に押当するものであるとともにベッド部が壁面の前方へ回動降下して壁面と直交状配置になるところの使用横臥状態では受承体で押圧された摺動子によって弾性体が圧縮状態になるものであることを特徴とする。
【００１２】
【発明の実施の形態】
本発明を図１ないし図８によって以下詳記すると、請求項１にあっては壁面Ｗに装着される取着部１とこの取着部１に係止可能としたベッド構成体２とからなっている。
ここで上記取着部１には、図２と図７（Ａ）の壁面Ｗへの取着状態を示す夫々斜視図と正面図に例示されている通り、所要数の係止部１ａ、１ｂ、１ｃが設けられており、もちろん図１、図８に開示の如く壁面Ｗから突設した取着螺杆１ｄやナット１ｅ、そして締着螺子１ｆなどを用いることで壁面Ｗにしっかりと固定することになり、当該取着部１は比較的軽量小型のものであるから、簡易迅速な取着工事が可能となる。
【００１３】
次に前記のベッド構成体２につき説示すると、これは図１ないし図８によって理解される通り、ベッド部３と被取着腕部４と付勢手段５とによって構成されている。ベッド部３の後側端部３ａにあって、壁面Ｗと平行に固設の横向軸杆３ｂには、被取着腕部４の基端部４ａが、ベッド部３に対して略９０°だけ回動自在なるよう軸承されている。さらにベッド部３の後側端部３ａと被取着腕部４との間には、図１（Ａ）、図６の通り被取着腕部４がベッド部３に対して、平伏重装状態となるように付勢する付勢手段５が連装されている。
【００１４】
ここで上記付勢手段５としては、後に請求項４について説示する特殊な構成のものを採択してもよいが、前説の如く単なるスプリングを用いたりガススプリングを採択することもできる。
かくして、当該請求項１にあっては上記した付勢手段５によって、ベッド部３が壁面Ｗに添装の図１（Ａ）の如き不使用起立状態Ｙを保持し得ると共に、当該ベッド部３が前方へ矢印Ｒのように横向軸杆３ｂを中心として回動降下して、壁面Ｗに直交状配置となる使用横臥状態Ｘを保持することができる。
そして図示例では、上記の使用横臥状態Ｘを保持するため、ベッド部３の後側端部３ａにあって突設のストッパ部３ｃに、被取着腕部４の下端縁４ｂが衝当するよう構成されている。
【００１５】
さらに、上記被取着腕部４には被係止部４Ａが設けられており、図１、図５、図６等に例示のものは、上下配置にて係止用口４ｃ、４ｄを被押当縦板４ｅに開設することで、当該係止用口４ｃ、４ｄの上縁板部に被係止部４Ａとしての役割をもたせるようにしている。
すなわち、請求項１による収納式幼児用ベッドによるときは、図８のように先ず軽量小形な取着部１を壁面Ｗに取着したならば、次にベッド構成体２を図示の如き折り畳みの立装状態のままで、仮想線Ｌのように操作し、係止用口４ｃ、４ｄに前記した係止部１ａ、１ｂ、１ｃを挿通降下させるだけで、係止部１ａ、１ｂ、１ｃに対して被係止部４Ａが係止されることになり、従って簡易迅速に図１（Ａ）の如き使用可能状態とすることができる。
【００１６】
次に請求項２に係る収納式幼児用ベッドによるときは、係止部１ａ、１ｂ、１ｃと被係止部４Ａとの係止構成において、請求項１の内容を以下のように特定化している。
先ず前記した取着部１における押当縦板１ｇに対し、係嵌間隙１ｈを介して上向きに係止舌片としての係止部１ａ、１ｂ、１ｃが突設されており、さらにベッド構成体２の被取着腕部４における被押当縦板４ｅに、前説の係止用口４ｃ、４ｄが開設されることで被係止部４Ａを構成し、前記の係止部１ａ、１ｂ、１ｃに被係止部４Ａを係止することによって、被押当縦板４ｅを押当縦板１ｇに対して押当させ得るようにするのである。
【００１７】
ここで、さらに図７（Ａ）を参照して詳記すると、ここに例示の取着部１は、上下に横向立上縁部１ｉを設けた横向取着板１ｊと、その左右両端にあって直交状に固着した前記の押当縦板１ｇとを具備している。この押当縦板１ｇの左右には、これまた前方へ立ち上げた縦向立上縁部１ｋが設けられていると共に、当該縦向立上縁部１ｋと面一の状態で延設した後述の固定用舌片１ｍが設けられている。
前説の係止部１ａ、１ｂ、１ｃである係止舌片は、何れも押当縦板１ｇから切り出して曲折することにより形成されていると共に、当該係止舌片は上方に向けて壁面Ｗから離反する方向で延出されている。
従って前記の係嵌間隙１ｈが下向きに鋭角状となっていることから、前説の如く係止部１ａ、１ｂ、１ｃに被係止部４Ａを係止する際、係嵌させ易く、しかも係止状態では前後の方向へのがたつきがない係止状態を保有し得ることになる。
【００１８】
また、上記した係止状態にあっては、取着部１の縦向立上縁部１ｋ間にあって、被取着腕部４の被押当縦板４ｅにおける左右から、図５に明示の如く前方へ突設した係嵌用縦向立上縁部４ｆが嵌合当接することで、取着部１に対するベッド構成体２の不本意な横振れが阻止されるようにしている。ここで図４ないし図６にあっては、図１、図８に開示されているベッド部３の床板部３ｄが取り外された状態を示しており、図４ないし図６の３ｅはベッド部３のリブ、３ｆは上記床板部３ｄを固定するためのビス止め螺孔、３ｇは横向軸杆３ｂの両端を固設するためベッド部３の後側端部３ａに固設した軸承固定部を示す。
【００１９】
さらに請求項３について以下説示すると、ここでは請求項２に対して、さらに以下に示す構成が付加されている。
すなわち、請求項２の如き係止部１ａ、１ｂ、１ｃに被係止部４Ａを係止させるだけに止まらず、図７（Ｂ）に示す如き長方形状の固定用板１ｎを用意しておき、これには長手方向である左右両端に取付用孔１ｐを対設しておくと共に、その中間には図２によって理解されるように、被取着部４と取着部１とを隠蔽してしまうために用いられるカバー６が、当該カバー６の取付孔６ａから挿入の図示しないビスによって取着できるように、固定用螺孔１ｑが刻設されている。
そして前記の取着部１に設けられている押当縦板１ｇから起立させた一対の縦向立上縁部１ｋからは、固定用板１ｍが外側へ延設されると共に、これら固定用舌片１ｍには夫々締着螺孔１ｒが設けられている。そして当該固定用舌片１ｍには固定用板１ｎを跨装重積した状態で、図１に示されているビス１ｓを取付用孔１ｐから挿通して締着螺孔１ｒに螺着することで、固定用板１ｎを取着部１に固定させるのである。
この際、上記固定用板１ｎは図１と図８に明示の如く、被取着腕部４における係嵌用縦向立上縁部４ｆの自由端側に形成した抜け止め用欠設部４ｇに押当させた状態で固定される。
この結果図示例では固定用板１ｎの板面が、抜け止め用欠設部４ｇの図８に明示の縦縁部４ｂに押当されると共に、横縁部４ｉが固定用板１ｎの下端縁と当接状態となり、被取着腕部４は、取着部１に対して固定されると共に脱落の心配をも解消し得ることになる。
【００２０】
このようにすることで、取着部１に対して係止状態となっているベッド構成体２は、係止部１ａ、１ｂ、１ｃに対して固定状態となることから、不本意に左右へスライドしたり、上下に動揺してしまうことも阻止され、図示のように係止部１ａが前記の如き傾斜状態となるよう延出している場合には、その係止状態に対する信頼性がより確実なものとなる。
【００２１】
さらに請求項４について以下説示すると、ここでは前記の請求項１における付勢手段５につき特異構成のものが採択されている。
図１ないし図６を参照して、その付勢手段５はベッド部３の後側端部３ａに固設されている受承体３ｈと、この受承体３ｈに対して摺動自在なるよう押当している摺動子５ａと、この摺動子５ａが摺動自在なるよう内嵌されている前記被取着腕部４に設けられた案内筒５ｂと、同上摺動子５ａと案内筒５ｂの上位止部５ｃとの間にあって収納されているコイルスプリング等による弾性体５ｄとによって構成されている。
そして図１（Ａ）の如くベッド部３が壁面Ｗに添装されている不使用起立状態Ｙでは、上記弾性体５ｄによって弾圧されることとなる摺動子５ａが、案内筒５ｂの下端口５ｅから可成りの長さで突出状態となって上記の受承体３ｈに押当している。そして前説の如くベッド部３が矢印Ｒのように前方へ回動降下させることで、壁面Ｗに直交状配置状態となる使用横臥状態Ｘとなれば、受承体３ｈの回動変移により案内筒５ｂ内へ押し込まれた摺動子５ａによって、弾性体５ｄが図１（Ｂ）の如く可成りの圧縮状態となるよう構成されている。
【００２２】
さらに上記の付勢手段５について、図示例につき詳記すると、前記の受承体３ｈは図１、図３、図４により理解されるように、ストッパ部３ｃの形成された曲板部３ｉが、ビス３ｊにより後側端部３ａにあって固設され、この曲板部３ｉにおいて横向軸杆３ｂと平行状態となるよう突設されているのであり、当該受承体３ｈには前記摺動子５ａの先端が押当する外周弧面３ｋが形成されている。
そして上記の摺動子５ａは合成樹脂製で角棒状に形成され、これが角パイプ状の案内筒５ｂに出入り自在なるよう嵌装されており、さらに案内筒５ｂから摺動子５ａが無制限に延出することのないように、図１ないし図４によって理解できる通り、案内筒５ｂに穿設した左右一対の案内溝孔５ｆに、摺動子５ａから突設した各案内止螺杆５ｇが嵌装されている。
【００２３】
従って、図１（Ａ）のようにベッド部３が不使用起立状態Ｙにあるときは、摺動子５ａが案内筒５ｂの下端口５ｅから突出しているが、この際上記した案内止螺杆５ｇが案内溝孔５ｆの下端縁に係当し、この結果摺動子５ａは案内筒５ｂから抜出しないというだけでなく、摺動子５ａの先端が受承体３ｈに、弾性体５ｄによる弾発力を付加することがないことから、上記不使用起立状態Ｙから矢印Ｒ方向へベッド構成体２を回動降下させる場合、当初から弾性体５ｄによる弾発力を受けることなく、従って当該初動操作が行い易くなっている。
そして、上記の回動効果操作が進行するにつれて、受承体３ｈが弾性体５ｄの弾発力に抗して、摺動子５ａを案内筒５ｂ内へ押し込んで行き、次第にベッド構成体２による回転モーメントが大となって行くことで、ベッド部３が使用横臥状態Ｘへ向けて下降して行き、ベッド部３に幼児が乗せられて荷重が加えられても、前記した通りストッパ部３ｃが下端縁４ｂに衝当することで、それ以上の降下は停止される。
【００２４】
上記の請求項４に係る付勢手段５を採択するようにすれば、これに単なるコイルスプリングを用いる場合よりも、ベッド部３と被取着腕部４とによるベルト構成体２の連枢構成が組み立て易く、かつその耐久性をも向上でき、またガススプリングによる付勢手段よりも安価に提供することが可能となる。
なお図１にあって仮想線により示されているのは、図２により既説した如く別途合成樹脂製等により形成されたカバー６であり、ヘッド構成体２における被取着腕部４の外側へ配装されており、従って図３に示されている状態にあってベッド部３が使用されることになる。
【００２５】
【発明の効果】
本発明は以上のようにして構成されているから、請求項１によるときは前記従来の収納式幼児用ベッドのように、これを壁面に取着しようとする場合ベース部とベッド部との間にガススプリングを連枢して一体に構成したものを、持ち上げてベース部の壁面に対する取着作業を行うようにしていたことによる作業性の悪さに比し、壁面に対して軽量小形な取着部だけを取着してしまった後、ベッド部とこれに取着の被取着腕部との間に付勢手段を連枢してなるベッド構成体を、単に係止してやるだけの作業で、収納式幼児用ベッドを取り付けて使用し得るようにしたので、簡易にして迅速な取着作業により使用に供することができ、またこれを取り外す必要のある場合にも、極めて容易な作業により、その目的を達し得ることとなる。
【００２６】
次に請求項２によるときは、上記請求項１における係合部と被係合部との係止構成を、係合舌片と係止用口との嵌入係止により、押当縦板に対し被押当縦板が押当するようにしたので、係止作業が行い易く、かつ係止後の取着部に対するベッド構成体の安定度が良好となり、さらに請求項３では当該請求項２の構成に対し、取着部に取り付けた固定用板を利用して、被取着腕部の取着部に対する係合状態を固定化するよう構成したので、これにより当該係止構成によるベッド構成体の安定と安全性を、さらに向上することが可能となる。また請求項４では請求項１における付勢手段として、ベッド部３における受承体に対し、弾性体により案内筒から出入自在な摺動子を弾圧接合させるようにしたので、単なるスプリングによる付勢手段よりも耐久性と故障発生の虞を改善でき、ガススプリングに比し安価にして、かつ組み付け作業も容易なものを提供することができる。
【図面の簡単な説明】
【図１】本発明に係る収納式幼児用ベッドの壁面取着状態を示し、（Ａ）はその不使用起立状態における一部切欠の縦断側面図で、（Ｂ）は使用横臥状態における一部切欠の縦断側面図である。
【図２】上記収納式幼児用ベッドの分解斜視図である。
【図３】同上収納式幼児用ベッドの使用状態を示した斜視図である。
【図４】上記収納式幼児用ベッドにおけるベッド構成部の床板部を除去し、被取着部腕部を付勢手段の付勢力に抗してベッド部に対し起立状態とした場合の一部を切欠した平面図である。
【図５】図２におけるＡ−Ａ線横断矢視図である。
【図６】同上収納式幼児用ベッドにおけるベッド構成部の床板部を除去し、付勢手段により被取着部が平伏重装状態にある場合の一部を切欠した平面図である。
【図７】（Ａ）は本発明における一構成部材としての取着部を示し、その一部を切欠した壁面押し当て状態における正面図で、（Ｂ）は当該取着部に別途螺子止めにより付設する固定用板の正面図である。
【図８】本発明における壁面に取着した取着部にベッド構成体を係止する以前における縦断側面図である。
【図９】従来の収納式幼児用ベッドの一例を示した壁面取着状態を示す側面略示説明図である。
【符号の説明】
１    取着部
１ａ  係止部
１ｂ  係止部
１ｃ  係止部
１ｇ  押当縦板
１ｈ  係嵌間隙
１ｋ  縦向立上縁部
１ｍ  固定用舌片
１ｎ  固定用板
１ｓ  止螺子
２    ベッド構成体
３    ベッド部
３ａ  後側端部
３ｈ  受承体
４    被取着腕部
４Ａ  被係止部
４ｃ  係止用口
４ｄ  係止用口
４ｅ  被押当縦板
４ｇ  抜け止め用欠設部
５    付勢手段
５ａ  摺動子
５ｂ  案内筒
５ｃ  上位止部
５ｄ  弾性体
５ｅ  下端口
Ｗ    壁面
Ｘ    使用横臥状態
Ｙ    不使用起立状態
【図１】
0003688532.tif 000002
【図２】
0003688532.tif 000003
【図３】
0003688532.tif 000004
【図４】
0003688532.tif 000005
【図５】
0003688532.tif 000006
【図６】
0003688532.tif 000007
【図７】
0003688532.tif 000008
【図８】
0003688532.tif 000009
【図９】
0003688532.tif 000010